(57)【要約】【課題】生体情報の測定精度を向上可能な測定装置及び測定方法を提供する。【解決手段】測定装置１０は、被検部位を接触させる接触部１３と、被検部位から生体測定出力を取得する生体センサ１２と、測定装置１０の傾きを検出する傾き検出部１１と、制御部１５と、を備え、制御部１５は、被検部位が接触部１３に接触して測定装置１０が被検部位により傾斜して支持された状態で、傾き検出部１１で検出される傾きが所定の角度の範囲に含まれる場合における生体センサ１２からの生体測定出力に基づいて、生体情報を生成する。【選択図】図１
2016047111.tif 000002
【特許請求の範囲】
【請求項１】
被検部位を接触させる接触部と、
前記被検部位から生体測定出力を取得する生体センサと、
当該測定装置の傾きを検出する傾き検出部と、
制御部と、を備え、
前記制御部は、前記被検部位が前記接触部に接触して当該測定装置が前記被検部位により傾斜して支持された状態で、前記傾き検出部で検出される前記傾きが所定の角度の範囲に含まれる場合における前記生体センサからの前記生体測定出力に基づいて、生体情報を生成する、
測定装置。
【請求項２】
前記生体センサは、測定光を射出する光源と、前記被検部位からの前記測定光の散乱光を受光する受光部と、を備え、
前記制御部は、前記傾き検出部で検出される前記傾きが所定の角度の範囲に含まれる場合に、前記光源から前記測定光を射出させて、前記受光部から取得される前記生体測定出力に基づいて前記生体情報を生成する、
請求項１に記載の測定装置。
【請求項３】
報知部をさらに備え、
前記制御部は、前記傾き検出部が検出する当該測定装置の前記傾きに関する情報を前記報知部から報知させる、
請求項１に記載の測定装置。
【請求項４】
前記接触部への前記被検部位の接触を補助するガイドをさらに備える、請求項１に記載の測定装置。
【請求項５】
前記ガイドは、前記被検部位を接触させる位置を定める凹部であることを特徴とする、請求項４に記載の測定装置。
【請求項６】
前記被検部位を撮像する撮像部と、
誘導部とをさらに備え、
前記制御部は、前記撮像部が撮像した画像に基づいて、前記被検部位を前記接触部に誘導する情報を前記誘導部により提示する、
請求項１に記載の測定装置。
【請求項７】
前記生体情報は、血流に関する情報を含む、請求項１に記載の測定装置。
【請求項８】
被検部位が接触部に接触して測定装置が被検部位により傾斜して支持された状態における前記測定装置の傾きを、傾き検出部で検出するステップと、
前記傾き検出部で検出される前記傾きが所定の角度の範囲に含まれる場合に生体センサで前記被検部位を測定して得られる生体測定出力に基づいて生体情報を生成するステップと、
を含む測定方法。
【発明の詳細な説明】
【技術分野】
【０００１】
本発明は、測定装置及び測定方法に関する。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【先行技術文献】
【特許文献】
【０００３】
【特許文献１】実公平３−２１２０８号公報
【発明の概要】
【発明が解決しようとする課題】
【０００４】
生体情報の測定結果は、被検部位から測定装置への押圧力によって変化しやすいため、押圧力を一定に維持することにより、生体情報の測定精度が向上しうる。しかしながら、測定装置への押圧力を一定に維持することは難しい。
【０００５】
かかる事情に鑑みてなされた本発明の目的は、生体情報の測定精度を向上可能な測定装置及び測定方法を提供することにある。
【課題を解決するための手段】
【０００６】
上記課題を解決するため、本発明に係る測定装置は、
被検部位を接触させる接触部と、
前記被検部位から生体測定出力を取得する生体センサと、
当該測定装置の傾きを検出する傾き検出部と、
制御部と、を備え、
前記制御部は、前記被検部位が前記接触部に接触して当該測定装置が前記被検部位により傾斜して支持された状態で、前記傾き検出部で検出される前記傾きが所定の角度の範囲に含まれる場合における前記生体センサからの前記生体測定出力に基づいて、生体情報を生成する。
【０００７】
前記生体センサは、測定光を射出する光源と、前記被検部位からの前記測定光の散乱光を受光する受光部と、を備え、
前記制御部は、前記傾き検出部で検出される前記傾きが所定の角度の範囲に含まれる場合に、前記光源から前記測定光を射出させて、前記受光部から取得される前記生体測定出力に基づいて前記生体情報を生成してもよい。
【０００８】
報知部をさらに備え、
前記制御部は、前記傾き検出部が検出する当該測定装置の前記傾きに関する情報を前記報知部から報知させてもよい。
【０００９】
前記接触部への前記被検部位の接触を補助するガイドをさらに備えていてもよい。
【００１０】
前記ガイドは、前記被検部位を接触させる位置を定める凹部であってもよい。
【００１１】
前記被検部位を撮像する撮像部と、
誘導部とをさらに備え、
前記制御部は、前記撮像部が撮像した画像に基づいて、前記被検部位を前記接触部に誘導する情報を前記誘導部により提示してもよい。
【００１２】
前記生体情報は、血流に関する情報を含んでいてもよい。
【００１３】
また、本発明は上述した測定装置に実質的に相当する方法としても実現し得るものであり、本発明の範囲にはこれらも包含されるものと理解されたい。
【００１４】
例えば、本発明に係る測定方法は、
被検部位が接触部に接触して測定装置が被検部位により傾斜して支持された状態における前記測定装置の傾きを、傾き検出部で検出するステップと、
前記傾き検出部で検出される前記傾きが所定の角度の範囲に含まれる場合に生体センサで前記被検部位を測定して得られる生体測定出力に基づいて生体情報を生成するステップと、を含む。
【発明の効果】
【００１５】
本発明によれば、生体情報の測定精度を向上可能な測定装置及び測定方法を提供できる。
【図面の簡単な説明】
【００１６】
【図１】本発明の第１実施の形態に係る測定装置の概略構成を示す機能ブロック図である。
【図２】図１の測定装置を背面側から見た場合の概略構成を示す外観斜視図である。
【図３】図１の測定装置の使用方法の一例を模式的に示す図である。
【図４】制御部による生体情報の測定制御の一例を示すフローチャートである。
【図５】本発明の第２実施の形態に係る測定装置の概略構成を示す機能ブロック図である。
【図６】図５の測定装置を背面側から見た場合の概略構成を示す外観斜視図である。
【図７】誘導部が提示する誘導する情報の一例を示す図である。
【図８】制御部による被検部位を誘導する制御の一例を示すフローチャートである。
【図９】ガイドの一変形例を示す図である。
【図１０】測定装置の使用方法の他の一例を模式的に示す図である。
【発明を実施するための形態】
【００１７】
以下、本発明の実施の形態について、図面を参照して詳細に説明する。
【００１８】
（第１実施の形態）
図１は、本発明の第１実施の形態に係る測定装置の概略構成を示す機能ブロック図である。測定装置１０は、傾き検出部１１と、生体センサ１２と、接触部１３と、記憶部１４と、制御部１５と、報知部１６と、表示部１７と、入力部１８とを備える。本実施の形態において、測定装置１０はスマートフォン（多機能携帯電話機）として実現される。測定装置１０は、スマートフォンの表面側に表示部１７を備え、表面側と反対の背面側に接触部１３を備える。
【００１９】
図２は、図１の測定装置１０を背面側から見た場合の概略構成を示す外観斜視図である。図２に示すように、スマートフォン３０は、背面３０ａ側に、筐体３１の一端（上端３１ａ）の中央部から筐体３１の中央部に向かう凹部３２を有する。凹部３２は、被検者が測定装置１０を使用して生体情報を測定するにあたり、被検部位を接触させる位置を定める。凹部３２には、被検部位を接触させる接触部１３が設けられる。被検者は、被検部位である手の指を接触部１３に接触させた状態で、測定装置１０により生体情報を測定する。なお、被検者が測定装置１０を使用して生体情報を測定するにあたり、被検部位を接触させる位置を定める機構は、凹部３２に限定されるものではない。例えば、このような機構は、リブや、１つ又は複数の突起部や、溝部等であってもよい。
【００２０】
測定装置１０が測定する生体情報は、生体センサ１２を使用して測定可能な任意の生体情報とすることができる。本実施の形態においては、測定装置１０は、一例として、血流に関する情報である被検者の血流量を測定するものとして、以下説明を行う。
【００２１】
図１において、傾き検出部１１は、例えば水平方向又は垂直方向に対する測定装置１０の傾きを検出する。傾き検出部１１は、例えば、ピエゾ抵抗型、静電容量型又は熱検知型等の周知の加速度センサにより構成される。傾き検出部１１は、検出した測定装置１０の傾きに係る情報を制御部１５に送信する。
【００２２】
生体センサ１２は、被検部位から生体測定出力を取得する。本実施の形態のように、測定装置１０が血流量を測定する場合、生体センサ１２は、光源２１と受光部２２とを有する。
【００２３】
光源２１は、制御部１５の制御に基づいてレーザ光を射出する。光源２１は、例えば、血液中に含まれる所定の成分を検出可能な波長のレーザ光を、測定光として被検部位に照射するもので、例えばＬＤ（レーザダイオード：Laser Diode）により構成される。
【００２４】
受光部２２は、生体測定出力として、被検部位からの測定光の散乱光を受光する。受光部２２は、例えば、ＰＤ（フォトダイオード：Photo Diode）により構成される。生体センサ１２は、受光部２２において受光した散乱光の光電変換信号を制御部１５に送信する。
【００２５】
接触部１３は、被検者が生体情報を測定するために、指等の被検部位を接触させる部分である。接触部１３は、例えば、板状の部材により構成される。接触部１３は、少なくとも光源２１からの測定光及び被検部位からの散乱光に対して透明な部材により構成される。
【００２６】
記憶部１４は、半導体メモリ又は磁気メモリ等で構成することができ、各種情報や測定装置１０を動作させるためのプログラム等を記憶するとともに、ワークメモリとしても機能する。記憶部１４は、例えば、測定装置１０の傾きが、生体情報の測定に適しているか否かについての判断基準となる所定の角度の範囲を記憶する。
【００２７】
制御部１５は、測定装置１０の各機能ブロックをはじめとして、測定装置１０の全体を制御及び管理するプロセッサである。制御部１５は、制御手順を規定したプログラムを実行するＣＰＵ（Central Processing Unit）等のプロセッサで構成され、かかるプログラムは、例えば記憶部１４又は外部の記憶媒体等に格納される。
【００２８】
制御部１５は、傾き検出部１１が検出する測定装置１０の傾きに関する情報を報知部１６から報知させる。傾きに関する情報は、例えば、傾き検出部１１が検出した傾きが、記憶部１４に記憶された所定の角度の範囲に含まれるか否かに関する情報を含む。傾きに関する情報は、例えば、傾き検出部１１が検出した傾きが所定の角度の範囲に含まれない場合には、測定装置１０の傾きを所定の角度の範囲に含めるために被検者が行うべき行動の指示を含んでいてもよい。被検者が行うべき行動の指示は、例えば、被検者に、測定装置１０の傾きを大きく又は小さくさせる指示である。
【００２９】
報知部１６は、例えば、画像、文字若しくは発光等による視覚的な方法、音声等の聴覚的な方法、又はそれらの組み合わせにより報知を行うことができる。報知部１６は、視覚的な方法で報知を行う場合、例えば、表示部１７等の表示デバイスに、画像又は文字を表示することにより報知を行う。報知部１６は、例えば、ＬＥＤ等の発光素子を発光させることにより報知を行ってもよい。報知部１６は、聴覚的な方法で報知を行う場合、例えば、スピーカ等の音発生デバイスとして、アラーム音や音声ガイド等を出力することにより報知を行う。報知部１６が行う報知は、例えば「この位置で測定を開始します」という内容の音声ガイドのように、生体情報の測定開始を報知するものであってもよい。報知部１６が行う報知は、視覚的又は聴覚的な方法に限られず、被検者が認識可能な任意の方法であってもよい。本実施の形態のように、測定装置１０がスマートフォン３０として構成されている場合には、制御部１５は、スマートフォン３０が有する報知機能部を報知部１６として使用してもよい。
【００３０】
制御部１５は、光源２１から射出される測定光を制御する。制御部１５は、例えば、被検者の操作により測定装置１０が生体情報を測定可能な状態となっている場合に、傾き検出部１１が検出した測定装置１０の傾きが所定の角度の範囲に含まれると判断すると、光源２１から測定光としてレーザ光を射出する。制御部１５は、測定光を射出することにより、生体センサ１２における生体測定出力の取得を開始する。
【００３１】
制御部１５は、光源２１からレーザ光を射出した後、生体センサ１２による生体測定出力の取得が終了したか否かを判定する。制御部１５は、例えば、生体センサ１２が生体測定出力の取得を開始してから、所定時間経過後に、生体測定出力の取得が終了したと判断してもよい。また、制御部１５は、例えば、生体センサ１２が、生体情報を測定するために十分な生体測定出力を取得したとき、生体測定出力の取得が終了したと判断してもよい。
【００３２】
制御部１５は、生体センサ１２における生体測定出力の取得を行っている間に、傾き検出部１１が検出する測定装置１０の傾きに関する情報を継続して取得してもよい。制御部１５は、継続して取得する傾きに関する情報に基づき、測定装置１０の傾きが、所定の角度の範囲に含まれなくなったと判断した場合、光源２１からの測定光の射出を停止させてもよい。制御部１５は、測定装置１０の傾きが所定の角度の範囲内で変動している間は、光源２１から測定光を射出し続けてもよい。
【００３３】
制御部１５は、生体測定出力の取得が終了したと判断すると、光源２１からのレーザ光の射出を停止する。制御部１５は、受光部２２の出力（生体情報出力）に基づいて、生体情報を生成する。本実施の形態に係る測定装置１０では、制御部１５が生体情報を生成するとして説明するが、生体情報は、制御部１５とは異なる独立した機能部により生成されてもよい。
【００３４】
ここで、制御部１５による、ドップラーシフトを利用した血流量測定技術について説明する。制御部１５は、血流量を測定する際に、生体の組織内（被検部位）に光源２１からレーザ光を照射させ、受光部２２により生体の組織内から散乱された散乱光を受光する。そして、制御部１５は、受光された散乱光に関する出力に基づいて血流量を演算する。
【００３５】
生体の組織内において、動いている血球から散乱された散乱光は、血液中の血球の移動速度に比例したドップラー効果による周波数シフト（ドップラーシフト）を受ける。制御部１５は、静止した組織からの散乱光と、動いている血球からの散乱光との光の干渉によって生じるうなり信号（ビート信号ともいう）を検出する。このうなり信号は、強度を時間の関数として表したものである。そして、制御部１５は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１５は、うなり信号のパワースペクトルに周波数をかけて積分することにより血流量を求める。
【００３６】
制御部１５は、生体センサ１２が取得した生体測定出力に基づいて生成した生体情報を、記憶部１４に記憶させてもよい。
【００３７】
表示部１７は、液晶ディスプレイ、有機ＥＬディスプレイ、又は無機ＥＬディスプレイ等の表示デバイスである。表示部１７は、例えば、測定装置１０による生体情報の測定結果を表示する。表示部１７は、測定装置１０の傾きに関する情報を表示することにより、報知部１６として機能することもできる。
【００３８】
入力部１８は、被検者からの操作入力を受け付けるものであり、例えば、操作ボタン（操作キー）から構成される。入力部１８をタッチパネルにより構成し、表示部１７の一部に被検者からの操作入力を受け付ける入力部１８を表示して、被検者によるタッチ操作入力を受け付けてもよい。被検者は、例えば、入力部１８を操作することにより、生体情報を測定するための専用アプリケーションを起動させることができる。
【００３９】
次に、本実施の形態に係る測定装置１０を使用して生体情報を測定する方法について説明する。図３は、図１の測定装置１０の使用方法の一例を模式的に示す図である。被検者は、測定装置１０に対する操作により、測定装置１０が生体情報を測定可能な状態とした後、図３に示すように、スマートフォン３０を、表面が被検者側を向くように机等の水平な載置面４０上に載置する。この状態において、被検者は、表面に配置された表示部１７に表示された画像を視認できる。このとき、筐体３１の上端３１ａとは反対にある下端が、載置面４０に接触している。被検部位は、凹部３２により定められる位置に配置され、接触部１３において筐体３１に接触している。すなわち、生体情報を測定するとき、スマートフォン３０は、下端における載置面４０及び接触部１３における被検部位により傾斜して支持された状態となる。スマートフォン３０がこのように支持されている場合における測定装置１０の傾き、つまり載置面４０と背面３０ａとのなす角度θは、傾き検出部１１により検出される。被検者は、被検部位を接触部１３に接触させたまま、被検部位の高さを調節することにより、測定装置１０の傾きを調節できる。
【００４０】
制御部１５は、傾き検出部１１が検出した角度θが所定の角度の範囲に含まれる場合における受光部２２の出力に基づいて、生体情報を生成する。ここでは、例えば、制御部１５は、角度θがθ1以上θ2以下（０°＜θ1＜θ2＜９０°）の範囲に含まれる場合における受光部２２の出力に基づいて、生体情報を生成するとする。
【００４１】
ここで、測定装置１０の重量は一定であり、被検部位が測定装置１０を支持する接触部１３の位置も変化しないため、静止状態において、被検部位が筐体３１を支持する荷重（すなわち被検部位による接触部１３への押圧力）は一定であり、測定装置１０から被検部位にかかる荷重も一定となる。そのため、測定装置１０から被検部位にかかる荷重の大きさは、角度θにより一意に定まる。従って、角度θがθ1の場合に測定装置１０から被検部位にかかる荷重をＦ1、角度θがθ2の場合に測定装置１０から被検部位にかかる荷重をＦ2とすると、制御部１５は、被検部位にかかる荷重がＦ1以上Ｆ2以下の場合における受光部２２の出力に基づいて、生体情報を生成する。
【００４２】
すなわち、測定装置１０において、Ｆ1及びＦ2により定められる荷重の範囲が生体情報の測定に適した荷重範囲となるように、θ1及びθ2の値を記憶部１４に記憶させておくことにより、被検者は、被検部位にかかる荷重が所定の荷重範囲内に含まれる場合の生体情報を測定可能となる。所定の荷重範囲は、例えば、被検部位に作用する荷重が血流量の測定に好適な荷重範囲とすることが好ましい。血流量の測定に好適な荷重範囲は、例えば、荷重と測定誤差との統計的な関係に基づいて、血流量の測定結果の誤差が、所定の誤差の範囲内に収まる荷重範囲である。測定装置１０を使用したかかる測定方法によれば、被検者によらず、被検部位にかかる荷重が所定の荷重範囲内である場合に生体情報を測定することができるため、生体情報の測定精度を向上可能である。
【００４３】
次に、制御部１５が行う生体情報の測定制御の一例について、図４に示すフローチャートを参照して説明する。図４に示すフローは、例えば、測定装置１０に対する操作によって、測定装置１０が血流量を測定可能な状態となった場合に開始される。被検者は、測定装置１０による血流量を測定可能な状態にした後、上記図３の説明で述べたように、被検部位を接触部１３に接触させた状態で、測定装置１０を支持する。このフローのスタートの段階において、光源２１からレーザ光は射出されていない。
【００４４】
制御部１５は、傾き検出部１１が検出した測定装置１０の傾きに関する情報を取得する（ステップＳ１０１）。
【００４５】
制御部１５は、取得した傾きに関する情報に基づいて、測定装置１０の傾きが所定の角度の範囲内であるかを判断する（ステップＳ１０２）。
【００４６】
制御部１５は、測定装置１０の傾きが所定の角度の範囲内でないと判断した場合（ステップＳ１０２のＮｏ）、報知部１６から、測定装置１０の傾きに関する情報を報知させる（ステップＳ１０３）。被検者は、報知を認識すると、測定装置１０の傾きを調節できる。制御部１５は、ステップＳ１０１に移行し、被検者が傾きを調節した状態における、測定装置１０の傾きに関する情報を取得する。
【００４７】
制御部１５は、測定装置１０の傾きが所定の角度の範囲内であると判断した場合（ステップＳ１０２のＹｅｓ）、光源２１からレーザ光を射出させる（ステップＳ１０４）。レーザ光の射出により、生体センサ１２による生体測定出力の取得が開始される。
【００４８】
次に、制御部１５は、生体センサ１２による生体測定出力の取得が終了したか否かを判断する（ステップＳ１０５）。
【００４９】
制御部１５は、生体測定出力の取得が終了していないと判断した場合（ステップＳ１０５のＮｏ）、傾き検出部１１から、測定装置１０の傾きに関する情報を取得する（ステップＳ１０６）。
【００５０】
制御部１５は、取得した傾きに関する情報に基づいて、測定装置１０の傾きが所定の角度の範囲内の状態を維持しているかを判断する（ステップＳ１０７）。
【００５１】
制御部１５が、測定装置１０の傾きが所定の角度の範囲内の状態を維持していると判断した場合（ステップＳ１０７のＹｅｓ）、フローは、ステップＳ１０５に移行する。
【００５２】
一方、制御部１５は、測定装置１０の傾きが所定の角度の範囲内の状態を維持していないと判断した場合（ステップＳ１０７のＮｏ）、光源２１からのレーザ光の射出を停止する（ステップＳ１０８）。そして、フローは、ステップＳ１０１に移行する。
【００５３】
ステップＳ１０５において、制御部１５は、生体測定出力の取得が終了したと判断した場合（ステップＳ１０５のＹｅｓ）、光源２１からのレーザ光の射出を停止する（ステップＳ１０９）。このようにして、生体センサ１２における生体測定出力の取得が終了する。
【００５４】
次に、制御部１５は、取得した生体測定出力に基づいて、生体情報を生成する（ステップＳ１１０）。
【００５５】
制御部１５は、生成した生体情報を記憶部１４に記憶させる（ステップＳ１１１）。制御部１５は、生成した生体情報を表示部１７に表示したりすることにより、被検者に測定結果を提示してもよい。
【００５６】
このように、本実施の形態に係る測定装置１０では、制御部１５が、傾き検出部１１が検出した測定装置１０の傾きが、所定の角度の範囲に含まれる場合における受光部２２の出力に基づいて、生体情報を生成する。測定装置１０の重量及び測定装置１０における被検部位を接触する接触部１３の位置は変化しないため、被検者によらず、生体情報を測定する場合における測定装置１０の傾きにより、被検部位にかかる荷重の大きさが一意に定まる。これにより、測定装置１０は、被検部位にかかる荷重が所定の範囲にある場合における生体情報を生成できる。そのため、生体情報の測定精度を向上可能である。特に、記憶部１４に記憶させた所定の角度の範囲が狭いほど、生体情報の測定を行う条件となる荷重の範囲も狭くなるため、繰り返し生体情報の測定を行う場合における測定結果の再現性が向上し、信頼性の高いデータが得やすくなる。
【００５７】
測定装置１０では、報知部１６が測定装置１０の傾きに関する情報を報知することにより、被検者は、測定装置１０の傾きを認識し、傾きが所定の角度の範囲に含まれるように調節しやすくなる。
【００５８】
測定装置１０を使用した測定方法では、被検者は、被検部位が背面３０ａにおいて測定装置１０に接触している位置を視認しにくいが、凹部３２により、被検部位を確実に接触部１３に接触させやすくなる。
【００５９】
制御部１５が、傾き検出部１１が検出した傾きが所定の角度の範囲に含まれる場合に光源２１からレーザ光を射出させる制御を行う場合には、不要な電力消費を抑えることができる。
【００６０】
（第２実施の形態）
次に、本発明の第２実施の形態について説明する。図５は、本発明の第２実施の形態に係る測定装置１０の概略構成を示す機能ブロック図である。第２実施の形態に係る測定装置１０は、第１実施の形態に係る測定装置１０が備える各機能部に加え、撮像部１９と、誘導部２０とをさらに備える。以下、第１実施の形態と同じ点については説明を省略し、異なる点について説明を行う。
【００６１】
撮像部１９は、測定装置１０の背面３０ａ側の画像を撮像する。撮像部１９が撮像する画像は、被検部位が接触部１３に接触しているか否かを制御部１５が判断するために使用される。そのため、撮像部１９は、被検部位を撮像するために、接触部１３の周囲近傍に配置されることが好ましい。撮像部１９は、例えばデジタルビデオカメラにより構成される。
【００６２】
図６は、図５の測定装置１０を背面側から見た場合の概略構成を示す外観斜視図である。第２実施の形態に係る測定装置１０は、第１実施の形態に係る測定装置１０と異なり、被検部位を接触させる位置を定める凹部３２を有さない。第２実施の形態に係る測定装置１０は、背面３０ａ側において、筐体３１の上端３１ａの中央部から筐体３１の中央部に向かって、順に撮像部１９及び接触部１３が並んで配置されている。撮像部１９及び接触部１３の配置は、一例であり、撮像部１９は、被検部位が接触部１３に接触しているか否かを制御部１５が判断可能な画像を撮像可能な任意の位置に配置される。また、測定装置１０は、撮像部１９を複数備えていてもよい。
【００６３】
図５において、誘導部２０は、制御部１５による制御に基づき、被検部位を接触部１３に誘導する情報（誘導情報）を提示する。誘導情報は、例えば、被検部位が接触部１３に適切に接触していない場合に、被検部位を接触部１３に適切に接触させるために被検部位を移動させるべき方向を示す情報を含んでいてもよい。誘導情報は、例えば、被検部位が接触部１３に適切に接触している場合には、被検部位が接触部１３に適切に接触していることを示す情報を含んでいてもよい。なお、適切に接触した状態とは、測定装置１０が接触部１３から被検部位の生体情報を測定可能な程度に、被検部位が接触部１３に接触した状態である。誘導部２０は、上述の報知部１６と同様に、例えば、画像、文字若しくは発光等による視覚的な方法、音声等の聴覚的な方法、又はそれらの組み合わせにより情報を提示できる。誘導部２０は、視覚的な方法で情報を提示する場合、例えば、表示部１７等の表示デバイスに、画像又は文字を表示することにより情報を提示できる。
【００６４】
図７は、誘導部２０が提示する、誘導情報の一例を示す図であり、スマートフォン３０を表面から見た場合の模式図である。図７においては、誘導部２０として使用される表示部１７に、誘導情報が表示されている。表示部１７には、指が背面３０ａ側においてスマートフォン３０に接触している位置を示す、模式的な指画像５０が示される。指画像５０は、例えば、撮像部１９が撮像した画像に基づいて、制御部１５が表示部１７に描画したものである。図７に示すように、被検者は、表示部１７に表示された指画像５０の延長上に、背面３０ａ側においてスマートフォン３０に接触する自らの指を見ることができる。
【００６５】
表示部１７には、誘導情報として、指が背面３０ａ側においてスマートフォン３０に接触すべき位置を示す目標位置５１が示される。目標位置５１は、例えば、図７のように点線で示されてもよく、また、指画像５０と異なる色で表示されてもよい。図７では、誘導情報として、指が移動すべき方向を示す矢印５２が、さらに示されている。被検者は、指画像５０と、目標位置５１及び矢印５２とに基づき、指の位置を調節できる。例えば、指画像５０と目標位置５１とが重なった場合、被検者は被検部位を接触部１３に適切に接触した状態となる。
【００６６】
なお、誘導情報は、目標位置５１及び矢印５２に限られず、被検部位を接触部１３に誘導する任意の情報である。また、表示部１７に表示される誘導情報は、目標位置５１及び矢印５２のように２つである必要はなく、１つ又は３つ以上であってもよい。また、誘導部２０が提示する誘導情報は、視覚的又は聴覚的な方法に限られず、被検者が認識可能な任意の方法で提示できる。
【００６７】
本実施形態において、制御部１５は、撮像部１９が撮像した画像に基づいて、被検部位を接触部１３に誘導する情報を誘導部２０により提示する。制御部１５は、例えば、撮像部１９が撮像した画像に基づいて、指が背面３０ａ側においてスマートフォン３０に接触している位置を推測して、誘導情報を提示させる。制御部１５は、例えば、撮像部１９が撮像した画像のうち、一部の領域の輝度（又は照度）が高い場合には、被検部位が接触する位置が、接触部１３からずれていると推測してもよい。制御部１５は、例えば、図６に示した接触部１３と撮像部１９との位置関係及び画像において照度が高い領域の位置に基づいて、被検部位と接触部１３とのずれの方向を推測できる。制御部１５は、例えば撮像部１９が撮像した画像の照度が所定値より低い場合に、被検部位が接触部１３に適切に接触していると推定してもよい。制御部１５は、被検部位が接触部１３に接触していると判断した場合に、図４に示すフローを開始して、生体情報の測定を行う。
【００６８】
図８は、制御部１５による、被検部位を接触部１３へ誘導する制御の一例を示すフローチャートである。図８に示すフローは、例えば、測定装置１０に対する操作によって、測定装置１０が血流量を測定可能な状態となった場合に開始される。被検者は、測定装置１０による血流量を測定可能な状態にした後、被検部位を接触部１３に接触させた状態で、測定装置１０を支持する。
【００６９】
まず、制御部１５は、撮像部１９が撮像した画像を取得する（ステップＳ２０１）。
【００７０】
制御部１５は、取得した画像に基づいて、被検部位が接触部１３に適切に接触しているかを判断する（ステップＳ２０２）。
【００７１】
制御部１５は、被検部位が接触部１３に適切に接触していないと判断した場合（ステップＳ２０２のＮｏ）、誘導部２０により誘導情報を提示する（ステップＳ２０３）。被検者は、誘導情報に基づき、測定装置１０に接触する被検部位の位置を移動させることができる。制御部１５は、ステップＳ２０１に移行し、被検者が被検部位の位置を移動させた状態において、撮像部１９が撮像した画像を取得する。
【００７２】
制御部１５は、被検部位が接触部１３に適切に接触していると判断した場合（ステップＳ２０２のＹｅｓ）、このフローを終了する。そして、制御部１５は、図４に示すフローを開始する。
【００７３】
本実施の形態に係る測定装置１０では、制御部１５が、撮像部１９が撮像した画像に基づいて被検部位の位置を推定できる。そのため、第１実施の形態のように、筐体３１に凹部３２を設けない場合であっても、被検者に、被検部位を接触部１３に適切に接触させることができる。
【００７４】
なお、本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００７５】
第１実施の形態において、スマートフォン３０は、筐体３１の一部に凹部３２を有すると説明したが、被検部位を接触させる位置を定める手段は、凹部３２に限られない。スマートフォン３０は、接触部１３への被検部位の接触を補助する機能を有する任意のガイドを備えることができる。例えば、スマートフォン３０は、図９に示すように、背面３０ａ側に、上端３１ａの中央部から筐体３１の中央部に向かって、接触部１３を囲うように延在するガイド３３を備えていてもよい。被検者は、ガイド３３に従って指をスマートフォン３０の背面３０ａに接触させることにより、被検部位を適切に接触部１３に接触させることができる。
【００７６】
上記実施の形態においては、測定装置１０がスマートフォン３０として実現されるとして説明したが、測定装置１０は、他の機器として実現されていてもよい。測定装置１０は、スマートフォン３０以外に、例えば、携帯型ミュージックプレイヤ、ノートパソコン、腕時計、タブレット端末、ゲーム機等の多岐にわたるデバイスとして実現される。また、測定装置１０は、生体情報を測定するための専用のデバイスとして実現されてもよい。各デバイスにおいて、制御部１５が生体情報の測定を行う基準となる所定の角度の範囲は、各デバイスの重量、デバイスにおける接触部１３の位置等により、適宜決定される。一般に、デバイスの中央部に重心がある場合、デバイスの重量が小さいほど、所定の角度は小さくなるように決定される。また、接触部１３が、デバイスの中央部よりも上端に近い位置に配置されるほど、所定の角度は小さくなるように決定される。
【００７７】
測定装置１０の使用方法は、図３に示す方法に限られない。図１０は、測定装置１０の使用方法の他の一例を模式的に示す図である。図１０に示す方法により生体情報を測定する場合、図３に示す方法と異なり、被検者は、スマートフォン３０を、背面３０ａが被検者側を向くように載置面４０上に載置する。被検者は、手のひらが上を向くようにして被検部位を接触部１３に接触させ、スマートフォン３０を支持する。測定装置１０は、傾きが所定の角度の範囲に含まれる場合における生体情報を測定する。図１０に示す測定方法においては、図３に示す測定方法と比較して、被検者は、測定装置１０の傾き（角度θ）が小さい状態で保持しやすい。従って、例えば、測定装置１０が軽量であるため、生体情報を測定するために充分な荷重を被検部位にかけるために、所定の角度の範囲が小さく設定される測定装置１０等においては、図１０に示す測定方法が有効となる場合がある。なお、所定の角度の範囲が小さく設定される場合は、例えば、所定の角度の範囲が４５°以下に設定される場合である。
【００７８】
上記実施の形態では、測定装置１０が備える制御部１５が、受光部２２の出力に基づいて生体情報を生成すると説明したが、生体情報の生成は、測定装置１０が備える制御部１５が行う場合に限られない。例えば、測定装置１０と、有線若しくは無線又はこれらの組み合わせからなるネットワークで接続されたサーバ装置が、制御部１５における生体情報を生成する機能に相当する機能を有する機能部を備え、生体情報の生成は、この機能部を有するサーバ装置で行われてもよい。この場合、測定装置１０は、傾き検出部１１により測定装置１０の傾きに関する情報を取得して、取得した傾きに関する情報を、別途備える通信部からサーバ装置に送信する。また、測定装置１０は、生体センサ１２により生体情報出力を取得して、取得した生体情報出力を、別途備える通信部からサーバ装置に送信する。サーバ装置は、測定装置１０の傾きが所定の角度の範囲に含まれる場合における生体情報出力に基づいて生体情報を生成し、生成した生体情報を測定装置１０に送信する。被検者は、測定装置１０が受信した生体情報を、表示部１７に表示させることにより、閲覧することができる。このように、サーバ装置が生体情報を生成する場合、図１に示す全ての機能部を１つの測定装置１０上で実現する場合に比べて、測定装置１０の小型化等を実現することができる。
【符号の説明】
【００７９】
１０  測定装置
１１  傾き検出部
１２  生体センサ
１３  接触部
１４  記憶部
１５  制御部
１６  報知部
１７  表示部
１８  入力部
１９  撮像部
２０  誘導部
２１  光源
２２  受光部
３０  スマートフォン
３０ａ  背面
３１  筐体
３１ａ  上端
３２  凹部
３３  ガイド
４０  載置面
５０  指画像
５１  目標位置
５２  矢印
【図１】
2016047111.tif 000003
【図２】
2016047111.tif 000004
【図３】
2016047111.tif 000005
【図４】
2016047111.tif 000006
【図５】
2016047111.tif 000007
【図６】
2016047111.tif 000008
【図７】
2016047111.tif 000009
【図８】
2016047111.tif 000010
【図９】
2016047111.tif 000011
【図１０】
2016047111.tif 000012